(57)【要約】【課題】  消費電力を抑えることができる引き戸の開度規制装置を提供する。【解決手段】  本発明の引き戸の開度規制装置は、建物の開口部に配置されている引き戸３Ａを所定の開き量以上には開かないように規制する。前記開口部に配置している枠１に本体２を取り付け、引き戸３Ａに規制部材４を取り付けている。本体２には、デッドボルト１３と、デッドボルト１３を移動させる駆動部１５を有する。デッドボルト１３は、コイルバネ１４によって平カム２４に押し付けられる。駆動部１５の直流モータ１６が作動して雄ネジ部材２３が回転することで平カム２４がネジ作用によって移動し、その平カム２４の移動に伴ってデッドボルト１３が本体２に対して出退する。そして、規制部材４が、本体２から突出しているデッドボルト１３と当接することで引き戸３Ａの開き量が規制される。【選択図】  図１
2014047573.tif 000002
【特許請求の範囲】
【請求項１】
建物の開口部に配置されていて、その開口部を開閉する引き戸（３Ａ）を所定の開き量以上には開かないように規制するための開度規制装置であって、
前記開口部に配置している枠（１）と前記引き戸（３Ａ）とのいずれか一方に本体（２）を取り付けているとともに、他方に規制部材（４）を取り付けており、
前記本体（２）には、当該本体（２）に対して出退可能に支持しているデッドボルト（１３）と、そのデッドボルト（１３）を出退させる駆動部（１５）とを有しており、
前記駆動部（１５）には、モータ（１６）と、そのモータ（１６）に連結している雄ネジ部材（２３）と、その雄ネジ部材（２３）に螺合しているとともに前記デッドボルト（１３）に当接するカム面を有する平カム（２４）と、デッドボルト（１３）を付勢して当該デッドボルト（１３）を平カム（２４）に押し付ける付勢手段（１４）とを有していて、モータ（１６）が作動して雄ネジ部材（２３）が回転することで平カム（２４）がネジ作用によって移動し、その平カム（２４）の移動に伴ってデッドボルト（１３）が出退し、
前記規制部材（４）が、本体（２）から突出しているデッドボルト（１３）と当接することで引き戸（３Ａ）の開き量が規制されることを特徴とする引き戸の開度規制装置。
【請求項２】
前記モータ（１６）の作動を制御する制御部（２０）を有しており、
制御部（２０）は、非常事態を感知する非常感知器（１８）からの信号を受信可能になっていて、その信号を受信した際にはデッドボルト（１３）を本体（２）内に後退させることを特徴とする請求項１記載の引き戸の開度規制装置。
【請求項３】
デッドボルト（１３）の突出または後退を指示する信号を送信するリモコン（１９）を有しており、
制御部（２０）は、リモコン（１９）からの信号に応じてデッドボルト（１３）を本体（２）から突出させ、または本体（２）内に後退させることを特徴とする請求項２記載の引き戸の開度規制装置。
【請求項４】
デッドボルト（１３）を後退方向へ移動させるためのつまみ（３１）を有しており、
そのつまみ（３１）が本体（２）外に突出していて、当該つまみ（３１）を付勢手段（１４）の付勢力に抗して前記後退方向へ移動させたときには、デッドボルト（１３）が本体（２）内に後退することを特徴とする請求項１ないし３のいずれかに記載の引き戸の開度規制装置。
【請求項５】
デッドボルト（１３）は、その先端面（１３ａ）が引き戸（３Ａ）の閉じ方向へ向かうに従って突出方向側になる傾斜状になっていることを特徴とする請求項１ないし４のいずれかに記載の引き戸の開度規制装置。
【発明の詳細な説明】
【技術分野】
【０００１】
本発明は、マンション、一般住宅またはビルディングなどの建物の開口部に配置している引き戸の開度規制装置に関するものである。
【背景技術】
【０００２】
特許文献１には、リモートコントローラ（リモコン）での操作に応じて窓戸（引き戸）を所定量（半開）以上開かないように規制する開度規制装置が開示されている。具体的には、その開度規制装置には、戸枠や窓枠に取り付けている本体部から突出するとともに本体部内に後退（収納）するデッドボルトと、そのデッドボルトを駆動するソレノイドと、前記窓戸に固定してあって前記突出状態のデッドボルトと当接可能なドグとを有している。
【０００３】
そして、リモートコントローラを操作してデッドボルトを本体部から突出させると、窓戸を前記所定量まで開いたときにドグがデッドボルトに当接して、窓戸がそれ以上開くことが阻止される。一方、リモートコントローラを操作してデッドボルトを本体部内に後退させると、窓戸を全開位置まで開放することができる。
【先行技術文献】
【特許文献】
【０００４】
【特許文献１】特開２００３−７４２４７号公報
【発明の概要】
【発明が解決しようとする課題】
【０００５】
特許文献１に記載の開度規制装置では、デッドボルトが本体部から突出している間、ソレノイドへの通電が維持されているため（特許文献１の段落００１９参照）、その分だけ消費電力が嵩んでしまうといった問題がある。
【０００６】
また、特許文献１の開度規制装置では、窓戸を閉じなければリモートコントローラを操作してもデッドボルトを本体部から突出させることができないため（特許文献１の段落００１７参照）、デッドボルトを本体部から突出させる前に窓戸の開閉状態を確認しなければならなず、使い勝手が悪いことになる。
【０００７】
本発明は、かかる不都合を解決することを目的とするものであり、消費電力を抑えることができる引き戸の開度規制装置を提供することにある。加えて使い勝手のよい引き戸の開度規制装置を提供することにある。
【課題を解決するための手段】
【０００８】
本発明は、前記不都合を解決するものである。すなわち本発明は、建物の開口部に配置されていて、その開口部を開閉する引き戸３Ａを所定の開き量以上には開かないように規制するための開度規制装置であって、前記開口部に配置している枠１と引き戸３Ａとのいずれか一方に本体２を取り付けているとともに、他方に規制部材４を取り付けており、本体２には、当該本体２に対して出退（突出および後退）可能に支持しているデッドボルト１３と、そのデッドボルト１３を出退（移動）させる駆動部１５とを有しており、駆動部１５には、モータ１６と、そのモータ１６に連結している雄ネジ部材２３と、その雄ネジ部材２３に螺合しているとともにデッドボルト１３に当接するカム面を有する平カム２４と、デッドボルト１３を付勢して当該デッドボルト１３を平カム２４に押し付ける付勢手段１４とを有していて、モータ１６が作動して雄ネジ部材２３が回転することで平カム２４がネジ作用によって移動し、その平カム２４の移動に伴ってデッドボルト１３が出退し、規制部材４が、本体２から突出しているデッドボルト１３と当接することで引き戸３Ａの開き量が規制されることを特徴とする。
【０００９】
ここでの引き戸３Ａには、引違い窓や片引き窓なども含まれる。付勢手段１４には、コイルバネや板バネや合成ゴムなどが該当する。所定の開き量としては、換気や小動物のペットの出入りは可能であるが、人の出入りは困難である量が該当し、例えば８〜１２ｃｍが該当する。後退状態のデッドボルト１３は、引き戸３Ａを開いたときにデッドボルト１３に規制部材４が当接しない位置であればよく、後退状態のデッドボルト１３が本体２から若干飛び出していてもよい。本体２や規制部材４を取り付けている枠１には、その枠１に隣接して配置している額縁なども含まれる。
【００１０】
詳しくはモータ１６の作動を制御する制御部２０を有しており、制御部２０は、非常事態を感知する非常感知器１８からの信号を受信可能になっていて、その信号を受信した際にはデッドボルト１３を本体２内に後退させるようになっている。非常感知器１８には、煙感知器や熱感知器やガス感知器や地震感知器などが該当し、建物内や建物外に、一個配置する場合と複数個配置する場合とが含まれる。ここでは、非常感知器１８と制御部２０とが無線通信方式で通信する場合と有線通信方式で通信する場合とが含まれる。
【００１１】
また、デッドボルト１３の突出または後退を指示する信号を送信するリモコン１９を有しており、制御部２０は、リモコン１９からの信号に応じてデッドボルト１３を本体２から突出させ、または本体２内に後退させるものとすることができる。ここでは、リモコン１９と制御部２０とが無線通信方式で通信する場合と有線通信方式で通信する場合とが含まれる。リモコン１９と制御部２０とが有線通信方式で通信する場合には、リモコン１９を建物の内壁などに取り付けてもよい。またここでは、リモコン１９がデッドボルト１３の突出指示用の信号と後退指示用の信号とを異ならせて送信する場合と、リモコン１９は単一の信号を送信し、制御部２０がリモコン１９からの信号を受信する毎にデッドボルト１３の突出と後退とを交互に行う場合とが含まれる。
【００１２】
デッドボルト１３を後退方向へ移動させるためのつまみ３１を有しており、そのつまみ３１が本体２外に突出していて、当該つまみ３１を付勢手段１４の付勢力に抗して後退方向へ移動させたときには、デッドボルト１３が本体２内に後退するものとすることができる。
【００１３】
デッドボルト１３は、その先端面１３ａが引き戸３Ａの閉じ方向へ向かうに従って突出方向側になる傾斜状になっているものとすることができる。
【発明の効果】
【００１４】
本発明の引き戸の開度規制装置は、例えばデッドボルト１３が本体２内に後退しているときにモータ１６を駆動すると、雄ネジ部材２３が回転（正転）して平カム２４がネジ作用で直進（移動）する。その平カム２４の移動に伴ってデッドボルト１３が本体２からまっすぐ（直進状）に突出する。そのデッドボルト１３の突出状態で引き戸３Ａを開くと、規制部材４がデッドボルト１３の側面に当接して、引き戸３Ａが所定の開き量以上に開かれることが阻止される。
【００１５】
そのデッドボルト１３が突出している状態で、モータ１６を駆動して雄ネジ部材２３を逆転させると、平カム２４が、前記デッドボルト１３が突出するときとは逆方向に移動する。その平カム２４の移動に伴ってデッドボルト１３が本体２内にまっすぐに後退する。その後退状態では、引き戸３Ａを開いても規制部材４がデッドボルト１３に当接しないため、当該引き戸３Ａを、例えば全開にすることができる。
【００１６】
本発明では、付勢手段１４によってデッドボルト１３を平カム２４に押し付けていて、付勢手段１４と平カム２４とによってデッドボルト１３の突出状態および後退状態の維持を行っているので、デッドボルト１３を移動させるときのみモータ１６に通電して当該モータ１６を作動させることになる。従って、デッドボルト１３の突出状態や後退状態の維持のためにモータ１６に通電する必要がなく、その分だけモータ１６での消費電力を減らすことができる。
【００１７】
また、平カム２４およびデッドボルト１３は直進状に移動するので、その分だけ開度規制装置の構造の複雑化を抑えることができ、これによって開度規制装置の低コスト化を図ることができる。
【００１８】
非常事態を感知する非常感知器１８からの信号を受信したときにデッドボルト１３が後退すると、建物内（室内）にいる人は、火災などの非常事態の際にデッドボルト１３の後退の操作を行わなくても直ちに引き戸３Ａを開くことができる。これによって、前記建物内の人は、室外へ迅速に避難することができる。
【００１９】
リモコン１９によってデッドボルト１３の突出および後退の操作ができるようにすると、例えば本体２が枠１の上枠１ｂに配置されていることで、人の手が容易に届かない場合でも、リモコン１９によってデッドボルト１３を突出および後退させることができ、その分だけ開度規制装置の使い勝手が向上することになる。
【００２０】
つまみ３１によってデッドボルト１３を手動で後退できるようにすると、故障などによってモータ１６を駆動させることができないときにも、室内の人がデッドボルト１３を後退させて引き戸３Ａを確実に開くことができる。
【００２１】
デッドボルト１３の先端面１３ａが引き戸３Ａの閉じ方向へ向かうに従って突出方向側になる傾斜状になっていると、例えば引き戸３Ａがデッドボルト１３の位置よりも全開側に開いている状態でデッドボルト１３を本体２から突出させている場合において、引き戸３Ａを閉じたときには、規制部材４がデッドボルト１３の傾斜状の先端面１３ａに当接し、その規制部材４によってデッドボルト１３の先端面１３ａが本体２側へ押されて、デッドボルト１３が本体２内へ後退する。これによって、デッドボルト１３に邪魔されることなく引き戸３Ａを確実に閉じることができる。その分だけ開度規制装置の使い勝手が向上することになる。
【図面の簡単な説明】
【００２２】
【図１】本発明にかかる引き戸の開度規制装置を設けた開口部の正面図である。
【図２】図１のＡ―Ａ線矢視断面図である。
【図３】図２のＢ―Ｂ線矢視断面図である。
【図４】図２のＣ―Ｃ線矢視断面図である。
【図５】図４のＤ―Ｄ線矢視断面図である。
【図６】開度規制装置のブロック構成図である。
【図７】開度規制装置の本体の動作を説明するための断面図である。
【図８】デッドボルトと規制部材との当接状態を示す平面図である。
【図９】引き戸を閉じる際のデッドボルトの動作を説明するための平面図である。
【発明を実施するための形態】
【００２３】
本発明に係る引き戸の開度規制装置の一実施例を図１ないし図９に基づいて説明する。本発明の開度規制装置は、例えば、マンション、一般住宅またはビルディングなどの部屋の入り口や玄関などの建物の開口部に配置している。本実施例では、開度規制装置は、例えば室内とベランダ（室外）とを仕切る出入り口（開口部）に配置している。
【００２４】
前記開度規制装置は、図１ないし図３に示すように、前記出入り口に固定している矩形状の枠１に取り付けている本体２と、枠１内に配置している二枚の引き戸３Ａ・３Ｂのうちの一方の引き戸３Ａ（図１では右側）に取り付けている規制部材４とを有しており、一方の引き戸３Ａを所定の半開き位置（開き量）までしか開かないように規制できるようになっている。なお、他方の引き戸３Ｂは、例えばロック部材（図示せず）で開閉不能にロックされている。
【００２５】
前記枠１は、アルミニウムなどからなり、左右の竪枠１ａ・１ａと、それらの竪枠１ａ・１ａの上端間に掛け渡した上枠１ｂと、左右の竪枠１ａ・１ａの下端間に掛け渡した下枠１ｃとで構成している。上枠１ｂと下枠１ｃとには、図２および図３に示すように、レール５をそれぞれ設けており、各引き戸３Ａ・３Ｂが上下のレール５に沿って左右方向にスライド移動可能になっている。前記上枠１ｂの室内側には、その上枠１ｂに隣接して上額縁６を配置しており、その上額縁６の下面であって右側の竪枠１ａ（図１参照）の近傍に前記本体２を取り付けている。なお、本体２は、上枠１ｂ（枠１）に直接取り付けてもよい。枠１の左右の竪枠１ａ・１ａの室内側には、縦額縁（図示せず）をそれぞれ配置している。
【００２６】
各引き戸３Ａ・３Ｂは、図１に示すように、ガラス８をアルミニウム製の矩形状の框９内に取り付けている。その框９は、左右の縦框９ａ・９ａと、その縦框９ａ・９ａの上端間に掛け渡した上框９ｂと、左右の縦框９ａ・９ａの下端間に掛け渡した下框９ｃとで構成している。一方の引き戸３Ａの左側の縦框９ａにはクレセント１０を取り付けており、そのクレセント１０を回して他方の引き戸３Ｂに設けている係止金具（図示せず）に係止することで施錠される。また、両引き戸３Ａ・３Ｂにおいて前記出入り口の左右の端部に位置する縦框９ａ・９ａには、その室内側および室外側に取っ手１１をそれぞれ取り付けている。
【００２７】
開度規制装置の本体２には、図３ないし図６に示すように、当該本体２に対して出退（突出および後退）可能に支持しているデッドボルト１３と、そのデッドボルト１３を出退移動（図５では上下方向）させる駆動部１５と、その駆動部１５の直流モータ１６などに電源供給する電源部１７と、煙感知器などの非常感知器１８（図１参照）やリモコン１９（図１参照）から送信されてくる駆動信号（第１駆動信号や第２駆動信号）を受信した際に前記直流モータ１６を作動させるなどの制御を行う制御部２０などを有している。
【００２８】
駆動部１５は、図４および図５に示すように、出力軸を横向きにして配置している前記直流モータ１６と、その直流モータ１６の出力軸にカプラー２２を介して連結している横向きの雄ネジ部材２３と、その雄ネジ部材２３に螺合している平カム（平板状のカム）２４と、デッドボルト１３を平カム２４のカム面２４ａ・２４ｂ・２４ｃに押し付けるコイルバネ（付勢手段）１４とを有している。
【００２９】
詳しくは、コイルバネ１４は、デッドボルト１３を本体２から突出する方向（図５では上方向：以下、突出方向という。）へ付勢している。雄ネジ部材２３は左右方向に延びており、平カム２４には左右方向に延びる雌ネジを形成している。その平カム２４の雌ネジに雄ネジ部材２３を螺合させている。そして、直流モータ１６が駆動されて雄ネジ部材２３が回転することで、平カム２４がネジ作用で左右方向に移動する。直流モータ１６は本体２の外周壁に固定されており、雄ネジ部材２３は本体２の外周壁に回転自在に支持されている。
【００３０】
デッドボルト１３を突出させた状態では、一方の引き戸３Ａの規制部材４がデッドボルト１３に当接可能になっている（図８参照）。リモコン１９には、図６に示すように、デッドボルト１３の突出方向への移動を指示する第１駆動信号を送信するための第１押ボタン１９ａと、デッドボルト１３の後退方向への移動を指示する第２駆動信号を送信するための第２押ボタン１９ｂとを有している。なお、リモコン１９は、携帯可能になっている。非常感知器１８は、建物内や建物外に一個または複数個配置しており、火災などの非常事態を感知したときに第２駆動信号を送信する。
【００３１】
規制部材４は、図２および図３に示すように、一方の引き戸３Ａの右側の縦框９ａの上端部にビスなどで固定していて一方の引き戸３Ａの中央側に延長している板状の基部４ａと、その基部４ａの延長方向の先端に設けていてデッドボルト１３に当接可能な弾性材４ｂとを有している。その弾性材４ｂによって規制部材４がデッドボルト１３に当接する際の衝撃を緩和させている。
【００３２】
電源部１７は一次電池や二次電池などからなる。電源部１７が二次電池を有する場合には、制御部２０は、その二次電池を充電するための充電制御回路を有し、また必要に応じて過電流保護回路などを有している。非常感知器１８およびリモコン１９と、制御部２０とは、赤外線や電波や超音波などを用いる無線通信方式で通信しており、それに伴って本体２には、前記駆動信号を受信するための受信部２１を有している。受信部２１としては、赤外線受光器やアンテナや超音波受信機などが該当する。
【００３３】
なお、非常感知器１８およびリモコン１９と制御部２０とは、リモコン１９と制御部２０とが赤外線で通信する一方で、非常感知器１８と制御部２０とが電波で通信してもよい。その場合、受信部２１としては、赤外線受光器およびアンテナを有することになる。また、非常感知器１８およびリモコン１９と制御部２０とがそれぞれ赤外線を用いて通信してもよく、非常感知器１８およびリモコン１９と制御部２０とがそれぞれ電波で通信してもよい。
【００３４】
駆動部１５の平カム２４のカム面は、図５および図７に示すように、左右方向に対して傾斜している傾斜カム面２４ａと、その傾斜面２４ａの左右両側にそれぞれ繋がっていて左右方向に延びるカム面２４ｂ・２４ｃとからなる。傾斜カム面２４ａは、右側へ向かうに従って突出方向側（デッドボルト１３の先端面１３ａ側）になるように傾斜しており、それに伴って右側の右端カム面２４ｃが左側の左端カム面２４ｂよりも突出方向側に位置している。
【００３５】
平カム２４が所定の左端位置（図４および図５の位置）にあるときには、コイルバネ１４の付勢力によって、デッドボルト１３に設けている当接ピン２６が平カム２４の右端カム面２４ｃに押し付けられている。その状態でデッドボルト１３の先端部が本体２から突出しており、閉じている状態（例えば図１の状態）の一方の引き戸３Ａを開くと規制部材４がデッドボルト１３の右側面に当接して（図８の状態）、一方の引き戸３Ａが所定の開き量以上に開かれることが阻止される。前記所定の開き量としては、例えば１０ｃｍ程度が該当し、その程度の開放状態では、換気や小動物のペットの出入りは可能であるが、人の出入りは困難である。
【００３６】
一方、前記突出状態でリモコン１９が操作されて、直流モータ１６が駆動されて雄ネジ部材２３が回転し、平カム２４が右方向へ移動したときには、デッドボルト１３の当接ピン２６が、平カム２４の傾斜カム面２４ａに至り、その傾斜カム面２４ａに押されてコイルバネ１４の付勢力に抗して後退（図７の下方向）し、それに伴ってデッドボルト１３が本体２内へ後退する。
【００３７】
そして、平カム２４が所定の左端位置（図７の位置）に移動したときには、デッドボルト１３の当接ピン２６が平カム２４の左端カム面２４ｂに押し付けられた状態で位置する。そのときには、図７に示すようにデッドボルト１３のほぼ全体が本体２内に後退している。その状態では一方の引き戸３Ａを開いても規制部材４がデッドボルト１３に当接することがなく、一方の引き戸３Ａをデッドボルト１３の位置よりも全開側に開くことができる。
【００３８】
デッドボルト１３の先端面１３ａは、一方の引き戸３Ａの閉じ方向（右方向）へ向かうに従って突出方向側（図５では上側）になる傾斜状になっている。それにより、例えば一方の引き戸３Ａがデッドボルト１３の位置よりも全開側へ開いている状態で、リモコン１９の操作によってデッドボルト１３を本体２から突出させたために、一方の引き戸３Ａを閉じる際に規制部材４（基部４ａ）がデッドボルト１３の傾斜状の先端面１３ａに当接しても（図９の実線図参照）、その規制部材４によってデッドボルト１３の先端面１３ａが本体２側へ押され、デッドボルト１３がコイルバネ１４の付勢力に抗して本体２内へ後退する（図９の仮想線図参照）。これによって、一方の引き戸３Ａをデッドボルト１３に邪魔されることなく閉じることができる。
【００３９】
平カム２４には、図４および図５に示すように、ピン形状の検出子２７を設けており、本体２内には、前記検出子２７を検出するための第１リミットスイッチ２８および第２リミットスイッチ２９を設けている。平カム２４が前記右端位置に移動しているときには第１リミットスイッチ２８が検出子２７を検出し、平カム２４が前記左端位置まで移動したときには第２リミットスイッチ２９が検出子２７を検出するようになっている。それにより、制御部２０は平カム２４の位置を判別することができる。
【００４０】
デッドボルト１３の下面には、図３および図４に示すように、つまみ３１を設けており、そのつまみ３１の下端部３１ａが本体２の下側（外側）に突出している。そのつまみ３１の下端部３１ａを指などで摘んでデッドボルト１３の後退方向（図３では右方向）に移動させると、それに伴ってデッドボルト１３が、コイルバネ１４の付勢力に抗して本体２内へ後退する。このように、デッドボルト１３を手動で後退させることができるので、故障や電池切れなどによって直流モータ１６を駆動させることができないときにも、デッドボルト１３を後退させて一方の引き戸３Ａを開くことができる。
【００４１】
次に、本発明の開度規制装置の動作を説明する。例えばデッドボルト１３が本体２内に後退している状態で、リモコン１９の第１押ボタン１９ａが押され、そのリモコン１９からの第１駆動信号を制御部２０が受信部２１を介して受信すると、直流モータ１６が駆動されて雄ネジ部材２３が回転（正転）し、平カム２４がネジ作用で直進（移動）する。その平カム２４の移動に伴ってデッドボルト１３が本体２からまっすぐ（直進状）に突出する。それによって一方の引き戸３Ａを開いたときには規制部材４がデッドボルト１３に当接し（図８の状態）、一方の引き戸３Ａを所定の開き量（半開）以上に開くことができなくなる。
【００４２】
そのデッドボルト１３の突出状態で、リモコン１９の第２押ボタン１９ｂが押され、そのリモコン１９からの第２駆動信号を制御部２０が受信部２１を介して受信すると、直流モータ１６が駆動されて雄ネジ部材２３が逆転する。すると、平カム２４が、前記デッドボルト１３が突出するときとは逆方向に移動する。その平カム２４の移動に伴ってデッドボルト１３が本体２内にまっすぐに後退する（図７の状態）。その後退状態では、一方の引き戸３Ａを開いても規制部材４がデッドボルト１３に当接しないため、一方の引き戸３Ａを自由に開くことができる。
【００４３】
また、デッドボルト１３の突出状態で、非常感知器１８から第２駆動信号が送信され、その第２駆動信号を制御部２０が受信部２１を介して受信したときにも、直流モータ１６が駆動されてデッドボルト１３が後退する。それによって一方の引き戸３Ａを開いて、例えば室内から室外へ避難することができる。なお、非常感知器１８から第２駆動信号が送信されたときに、デッドボルト１３が本体２内に後退している場合には、そのデッドボルト１３は後退状態のままで維持される。
【００４４】
制御部２０は、所定時間（例えば数秒）ごとにしか作動しないようになっており、リモコン１９は、制御部２０の作動停止時間よりも長い時間、駆動信号を送信するようになっている。制御部２０は、前記作動時間内に駆動信号を受信したときに駆動部１５の直流モータ１６を駆動（作動）する。このように、制御部２０を所定時間ごとにしか作動しないようにしたことで、開度規制装置の消費電力が抑えられる。
【００４５】
なお、電源として商用電源を用いてもよい。その場合、前記直流モータ１６に代えて交流モータを使用することになる。また、前記商用電源を用いる場合に、当該商用電源を整流して前記直流モータ１６などに供給してもよい。リモコン１９と制御部２０とは有線通信方式を用いて通信してもよく、同様に非常感知器１８と制御部２０とが有線通信方式を用いて通信してもよい。リモコン１９に一個の押ボタンのみを配置し、リモコン１９は、当該一個の押ボタンが押される毎に第１駆動信号と第２駆動信号とを交互に送信するようにしてもよい。
【００４６】
非常感知器１８には、煙感知器の他に、熱感知器、ガス感知器および地震感知器などが該当する。また、開度規制装置を複数の出入り口にそれぞれ設置した場合には、一個または複数個の非常感知器１８から送信された第２駆動信号によって各開度規制装置を一斉に作動させることができる。また、例えば一個または複数個の非常感知器１８を制御盤（図示せず）に有線または無線で接続し、その制御盤から各開度規制装置に第２駆動信号を有線または無線で送信するようにしてもよい。
【００４７】
このように、本発明の開度規制装置では、コイルバネ１４によってデッドボルト１３を平カム２４のカム面に押し付けていて、コイルバネ１４と平カム２４とによってデッドボルト１３の突出状態および後退状態の維持を行っているので、デッドボルト１３を移動させるときのみ駆動部１５の直流モータ１６に通電して当該直流モータ１６を作動させることになる。従って、デッドボルト１３の突出状態や後退状態の維持のために直流モータ１６に通電する必要がなく、その分だけ直流モータ１６での消費電力を減らすことができる。
【００４８】
前記枠１に規制部材４を取り付けるとともに一方の引き戸３Ａに本体２を取り付けてもよい。
【符号の説明】
【００４９】
１  枠
２  本体
３Ａ  一方の引き戸
４  規制部材
１３  デッドボルト
１３ａ  先端面
１４  コイルバネ
１５  駆動部
１６  直流モータ
１８  非常感知器
１９  リモコン
２０  制御部
２３  雄ネジ部材
２４  平カム
２６  当接ピン
３１  つまみ
３１ａ  下端部
【図１】
2014047573.tif 000003
【図２】
2014047573.tif 000004
【図３】
2014047573.tif 000005
【図４】
2014047573.tif 000006
【図５】
2014047573.tif 000007
【図６】
2014047573.tif 000008
【図７】
2014047573.tif 000009
【図８】
2014047573.tif 000010
【図９】
2014047573.tif 000011